(57)【特許請求の範囲】
【請求項１】
島枠に挿入されたパチスロ台を固定するパチスロ台取付装置であって、
島枠の上板に取り付けられる長尺アーム（２１）と、長尺アーム（２１）の一端に設けられ、パチスロ台の一側面に当接する係止部（２２）と、長尺アーム（２１）の他端に設けられ、パチスロ台の他側面を係止部（２２）の方向に押圧する押圧部（２３）と、からなり、パチスロ台の上部を左右方向に挟み込む上部固定金具と、
島枠の下板に取り付けられる長尺アーム（４１）と、長尺アーム（４１）の一端に設けられ、パチスロ台の一側面に当接する係止部（４２）と、長尺アーム（４１）の他端に設けられ、パチスロ台の他側面を係止部（４２）の方向に押圧する押圧部（４３）と、からなり、パチスロ台の下部を左右方向に挟み込む下部固定金具と、が備えられ、
前記押圧部（２３）と前記押圧部（４３）が、島枠の上部外側から操作されることを特徴とするパチスロ台取付装置。
【請求項２】
前記上部固定金具の押圧部（２３）は、第１工具（６１）で回動される第１駆動軸（３１）と、前記第１駆動軸（３１）で回動するカム（２８）と、前記カム（２８）によって押し出され、パチスロ台の上部側面を押圧する押え駒（２４）と、で構成され、
前記下部固定金具の押圧部（４３）は、第２工具（６２）で回動される第２駆動軸（５１）と、前記第２駆動軸で回動するカム（４８）と、前記カム（４８）によって押し出され、パチスロ台の下部側面を押圧する押え駒（４４）と、で構成されることを特徴とする請求項１に記載のパチスロ台取付装置。
【請求項３】
前記上部固定金具の押圧部（２３）には、さらに、クッション手段（２７）と、前記クッション手段（２７）を支持する芯材（３０）と、が設けられ、
前記下部固定金具の押圧部（４３）には、さらに、クッション手段（４７）と、前記クッション手段（４７）を支持する芯材（５０）と、が設けられることを特徴とする請求項２に記載のパチスロ台取付装置。
【請求項４】
前記上部固定金具の押圧部（２３）には、さらに、前記押え駒（２４）を所定の位置に戻す付勢手段（３２）が設けられ、
前記下部固定金具の押圧部（４３）には、さらに、前記押え駒（４４）を所定の位置に戻す付勢手段（５２）が設けられることを特徴とする請求項３に記載のパチスロ台取付装置。
【請求項５】
前記第１駆動軸と前記第２駆動軸が、前記上部固定金具の上側で同軸上に配置されると共に、前記第２駆動軸が前記第１駆動軸を貫通する構造であることを特徴とする請求項２に記載のパチスロ台取付装置。
【請求項６】
前記第２工具が前記第１工具の内部に挿入されると共に、前記第１工具と前記第２工具の先端が、それぞれ前記第１駆動軸と前記第２駆動軸のヘッドに係合されることを特徴とする請求項５に記載のパチスロ台取付装置。
【請求項７】
前記長尺アーム（２１）が、左方長尺アーム（２１’）と右方長尺アーム（２１’’）からなり、前記長尺アーム（４１）が、左方長尺アーム（４１’）と右方長尺アーム（４１’’）からなることを特徴とする請求項１に記載のパチスロ台取付装置。
【発明の詳細な説明】
【技術分野】
【０００１】
本発明は、パチスロ台取付装置に係り、より詳しくは、ビスやクギを使わずにパチスロ台を島枠に取り付けることができ、パチスロ台の着脱が容易で、新台の入替え作業を軽減できるパチスロ台取付装置に関する。
【背景技術】
【０００２】
パチスロは、回動式遊技機と呼ばれ、中央に３個の回転リールが設けられる。遊び方は、３個のメダル（コイン）を投入し、スタートレバーをたたく。するとリールが回転する。タイミングを見計らってストップボタンを押すと、リールの回転が止まる。リールの回転が止まった時、リールの絵柄が揃うなど役に当たるとメダル（コイン）が打ち出されるので、メダルを失うだけでなくメダルを増やすことができる。
【０００３】
パチスロは、遊技場の島枠にパチスロ台として横一列に並んで取り付けられる。パチスロ台の入れ替えは、パチスロ台を島枠から外し、新たなパチスロ台を取り付けることで行なう。図１６に示すように、従来は、パチスロ台３の枠体９を島枠の上板１と下板２にビス８で固定していた。ビスによる取り付けは、例えば特許文献１の図８に示される。パチスロ台３の入れ替え作業は、狭いエリアでのビスによる取外しと取付けを伴うので大変である。また、頻繁なパチスロ台３の入れ替えでビスの取り付け取り外しが生じ、上板１と下板２が傷みやすい。
【０００４】
そこで、例えば上板に取付金具を設けることにより、取付金具でパチスロ台を下方向に押圧しパチスロ台を島枠に固定することが考えられる。しかしながら、上板には十分な強度がなく、パチスロ台を押す反力で浮き上がってしまい、パチスロ台を確実に固定できない。また、パチスロ台を載せる下板は必ずしも水平ではなく、でこぼこしている場合があるので、上から押えるだけでは、例えばパチスロ台が前方側に傾いてしまい、左右のパチスロ台の出面（でずら）と整合しない場合があるので、その調整がしにくい。なお、パチスロ台は背中合わせに配置されており、後方に十分なスペースがないので、取付作業は島枠の外側上方から行なえることが望まれる。
【先行技術文献】
【特許文献】
【０００５】
【特許文献１】特開２００８−１３２１３３号公報
【発明の概要】
【発明が解決しようとする課題】
【０００６】
本発明の目的は、パチスロ台を島枠に簡単かつ確実に固定できるパチスロ台取付装置を提供することにある。
【課題を解決するための手段】
【０００７】
本発明によるパチスロ台取付装置は、島枠に挿入されたパチスロ台を固定するパチスロ台取付装置であって、島枠の上板に取り付けられる長尺アーム（２１）と、長尺アーム（２１）の一端に設けられ、パチスロ台の一側面に当接する係止部（２２）と、長尺アーム（２１）の他端に設けられ、パチスロ台の他側面を係止部（２２）の方向に押圧する押圧部（２３）と、からなり、パチスロ台の上部を左右方向に挟み込む上部固定金具と、島枠の下板に取り付けられる長尺アーム（４１）と、長尺アーム（４１）の一端に設けられ、パチスロ台の一側面に当接する係止部（４２）と、長尺アーム（４１）の他端に設けられ、パチスロ台の他側面を係止部（４２）の方向に押圧する押圧部（４３）と、からなり、パチスロ台の下部を左右方向に挟み込む下部固定金具と、が備えられ、前記押圧部（２３）と前記押圧部（４３）が、島枠の上部外側から操作されることを特徴とする。
【０００８】
前記上部固定金具の押圧部（２３）は、第１工具（６１）で回動される第１駆動軸（３１）と、前記第１駆動軸（３１）で回動するカム（２８）と、前記カム（２８）によって押し出され、パチスロ台の上部側面を押圧する押え駒（２４）と、で構成され、前記下部固定金具の押圧部（４３）は、第２工具（６２）で回動される第２駆動軸（５１）と、前記第２駆動軸で回動するカム（４８）と、前記カム（４８）によって押し出され、パチスロ台の下部側面を押圧する押え駒（４４）と、で構成されることを特徴とする。
【０００９】
前記上部固定金具の押圧部（２３）には、さらに、クッション手段（２７）と、前記クッション手段（２７）を支持する芯材（３０）と、が設けられ、前記下部固定金具の押圧部（４３）には、さらに、クッション手段（４７）と、前記クッション手段（４７）を支持する芯材（５０）と、が設けられることを特徴とする。
【００１０】
前記上部固定金具の押圧部（２３）には、さらに、前記押え駒（２４）を所定の位置に戻す付勢手段（３２）が設けられ、前記下部固定金具の押圧部（４３）には、さらに、前記押え駒（４４）を所定の位置に戻す付勢手段（５２）が設けられることを特徴とする。
【００１１】
前記第１駆動軸と前記第２駆動軸が、前記上部固定金具の上側で同軸上に配置されると共に、前記第２駆動軸が前記第１駆動軸を貫通する構造であることを特徴とする。
【００１２】
前記第２工具が前記第１工具の内部に挿入されると共に、前記第２工具と前記第１工具の先端が、前記第１駆動軸と前記第２駆動軸のヘッドに係合されることを特徴とする。
【００１３】
前記長尺アーム（２１）が、左方長尺アーム（２１’）と右方長尺アーム（２１’’）からなり、前記長尺アーム（４１）が、左方長尺アーム（４１’）と右方長尺アーム（４１’’）からなることを特徴とする。
【発明の効果】
【００１４】
本発明によるパチスロ台取付装置によれば、（１）上部固定金具と下部固定金具の２つの金具で、パチスロ台の上下を左右方向に挟み込むので、パチスロ台を簡単かつ確実に固定できる。（２）パチスロ台を固定する時の反力は、長尺アームの長手方向にかかるので、上板や下板には上下方向の荷重がかからない。上下方向に押さえ込むものではないので、上板が浮き上がることはない。（３）押圧部の押圧を解除すれば、パチスロ台を容易に取り出せるので、着脱自在にできる。（４）金具で挟み込んで、ビスで固定するものではないので、パチスロ台の入れ替えが頻繁に行われても、島枠の上板と下板が傷まない。（５）上部固定金具と下部固定金具の各押圧部は、島枠の上部外側から操作できる。パチスロ台の内部に入り込んでの作業がない。（６）下部固定金具でパチスロ台の下部を最初に固定し、次に上部固定金具でパチスロ台の上部を固定する２段階で行なうことができ、パチスロ台の出面（でずら）を他のパチスロ台と整合させることが容易である。
【００１５】
上部固定金具の押圧部に、第１工具で回動される第１駆動軸と、第１駆動軸で回動するカムと、カムによって押し出され、パチスロ台の上部側面を押圧する押え駒と、を設けたので、島枠の上部外側から第１工具を回動して、押え駒を突出させ、長尺アームの係止部と合わせてパチスロ台の上部を左右方向に挟み込むことができる。同様に、下部固定金具の押圧部に、第２工具で回動される第２駆動軸と、第２駆動軸で回動するカムと、カムによって押し出され、パチスロ台の下部側面を押圧する押え駒と、を設けたので、島枠の上部外側から第２工具を回動して、押え駒を突出させ、長尺アームの係止部と合わせてパチスロ台の下部を左右方向に挟み込むことができる。
【００１６】
上部固定金具と下部固定金具の各押圧部に、クッション手段と、クッション手段を支持する芯材と、を設けたので、弾力を持って、パチスロ台を左右方向に挟み込むことができる。
【００１７】
上部固定金具の押圧部の第１駆動軸に押え駒を所定の位置に戻す付勢手段を設け、下部固定金具の押圧部の第２駆動軸に押え駒を所定の位置に戻す付勢手段を設けたので、カムを突出させた状態から突出させない状態に戻せば、押え駒が自動的に所定の位置に戻るようにできる。
【００１８】
第１駆動軸と第２駆動軸が、上部固定金具の上側で同軸上に配置されると共に、第２駆動軸が第１駆動軸を貫通する構造としたので、島枠の上蓋には孔が１つあればよく、島枠の改造量を少なくできる。
【００１９】
第２工具が第１工具の内部に挿入されると共に、第１工具と第２工具の先端が、それぞれ第１駆動軸と第２駆動軸のヘッドに係合されるので、第２工具と第１工具が一体のもので島枠の上蓋に挿入しやすく、しかも第１駆動軸または第２駆動軸を個別に回動できる。
【００２０】
長尺アーム（２１）が、左方長尺アーム（２１’）と右方長尺アーム（２１’’）からなり、長尺アーム（４１）が、左方長尺アーム（４１’）と右方長尺アーム（４１’’）からなる構成としたので、パチスロ台の幅が異なる台であっても、対応可能で、個別に長さの異なる長尺アームを用意しないで済む。
【図面の簡単な説明】
【００２１】
【図１】本発明によるパチスロ台取付装置の左側面図である。
【図２】本発明によるパチスロ台取付装置の正面図である。
【図３】本発明によるパチスロ台取付装置の背面図である。
【図４】本発明によるパチスロ台取付装置の平面図である。
【図５】上部固定金具の平面図である。
【図６】上部固定金具の正面図である。
【図７】上部固定金具の左側面図である。
【図８】下部固定金具の平面図である。
【図９】下部固定金具の正面図である。
【図１０】図５に示す上部固定金具のＡ−Ａ断面図である。
【図１１】図８に示す下部固定金具のＢ−Ｂ断面図である。
【図１２】押え駒の斜視図である。
【図１３】押え駒の動作説明図である。（Ａ）はカムのａが右方向を向いた位置にあって、押え駒が突き出ていない状態、（Ｂ）はカムのｂが右方向を向いた位置にあって、押え駒が突き出た状態を示す。
【図１４】カムを回動させる工具の構成図である。
【図１５】長尺アームの他の実施例を示す平面図である。
【図１６】従来のパチスロ台の取付状況を示す断面図である。
【発明を実施するための形態】
【００２２】
以下、図面を参照して、本発明によるパチスロ台取付装置を説明する。
【実施例】
【００２３】
図１は、本発明によるパチスロ台取付装置１００の左側面図である。パチスロ台３は、前方、正面側から島枠の上板１と下板２の間に挿入される。パチスロ台取付装置１００は、上部固定金具２０と下部固定金具４０からなり、挿入されたパチスロ台３を上板１と下板２に固定する装置である。上板１は、斜線で示すように、前後の幅が下板２より短いので、その後側に上部固定金具２０を取り付け、下部固定金具４０は、下板２の上面に取り付けた。下部固定金具４０から上方に伸びるのは、下部固定金具４０のカムを駆動する第２駆動軸５１で、上部固定金具２０を貫通してその上方に突き出ている。なお、上部固定金具２０のカムを駆動するのは第１駆動軸３１である。図１に示すように、下部固定金具４０は、下板２の上面に設置されるので板厚の段差ができる。パチスロ台３のスライド挿入をしやすくするため、下板２の上面が平坦となるよう下部固定金具４０の前側に板材が敷設されてもよい。下部固定金具４０の前面側に傾斜面を設けて、パチスロ台３が滑り上がりやすくしてもよい。
【００２４】
図２は、本発明によるパチスロ台取付装置１００の正面図である。パチスロ台３は、中央に３個の回転リール１０があり、メダルの受け口、メダルの投入口、スタートレバー、ストップボタン、表示ランプ等（図示せず）も正面側に設けられる。図２に示すサンド４は、左側のパチスロ台３との間隔が確保される領域である。パチスロ台３の右側にも右側のパチスロ台３のサンド４がある。上板１と下板２は、木製で左右方向に伸び、下板２で上板１を支える柱がサンド４の箇所に設けられる。上部固定金具２０は、長尺アーム２１が上板１にビスで取り付けられ、長尺アーム２１の左右端でパチスロ台３の上部が挟み込まれる。同様に、下部固定金具４０は、長尺アーム４１が下板２にビスで取り付けられ、長尺アーム４１の左右端でパチスロ台３の下部が挟み込まれる。パチスロ台３を固定する時の反力は、長尺アーム２１、４１の長手方向にかかるので、上板１や下板２には上下方向の荷重がかからない。
【００２５】
図３は、本発明によるパチスロ台取付装置１００の背面図である。上部固定金具２０は、長尺アーム２１が上板１に取り付けられ、長尺アーム２１の左右端でパチスロ台３の上部が挟み込まれる。同様に、下部固定金具４０は、長尺アーム４１が下板２に取り付けられ、長尺アーム４１の左右端でパチスロ台３の下部が挟み込まれる。押え駒２４、４４が、パチスロ台３を左右方向に押す。
【００２６】
図４は、本発明によるパチスロ台取付装置１００の平面図である。上部固定金具２０を上板１の後側に設置するとしたので、上板１を後側に延ばす上板延長部材５を設け、この下側に上部固定金具２０を取り付けた。上板延長部材５を設けず、上板１の下側に上部固定金具２０を取り付けてもよい。その場合は、第２駆動軸５１と第１駆動軸３１が上方に突き出るので、突き出てもよいように上板１に切り欠き部を設ける必要がある。
【００２７】
図５は、上部固定金具２０の平面図、図６は、上部固定金具２０の正面図、図７は、上部固定金具２０の左側面図である。図５、６に示すように、長尺アーム２１は、長さをパチスロ台３の左右方向の幅に合わせてある。長尺アーム２１には、複数のアーム取付孔２６があり、２点鎖線で示す上板延長部材５の下側にビスで取り付ける。長尺アーム２１の左端には、長尺アーム２１の下側にネジ着される押圧部２３があり、そこから押え駒２４が突き出る。長尺アーム２１に設けられた左端の押え駒２４と右端の係止部２２とで、パチスロ台３の上部を左右方向に挟み込む。係止部２２は、本実施例では、長尺アームの一端を折り曲げて製作したが、枠体をネジで取り付ける構造としてもよい。その上で、ネジ孔の位置を複数設けて、係止部２２の取り付け位置が左右方向に変更できるようにしてもよい。図６、７に示すように、第２駆動軸５１が、上部固定金具２０を貫通して上方に突き出している。第２駆動軸５１は、下部固定金具４０のカムを駆動する軸であり、長いボルトを使用する。一方、図７で上部固定金具２０のカムを駆動するのは、第１駆動軸３１である。
【００２８】
図８は下部固定金具４０の平面図、図９は下部固定金具４０の正面図である。長尺アーム４１は、長さをパチスロ台３の左右方向の幅に合わせてある。長尺アーム４１には、複数のアーム取付孔４６があり、２点鎖線で示す下板２の上面にビスで取り付ける。長尺アーム４１の右端は、下板２のメダル落とし穴６があるので、孔の開いた矩形状とした。長尺アーム４１の左端には、長尺アーム４１の上側にネジ着される押圧部４３が設けられる。押圧部４３から押え駒４４が突き出る。押え駒４４と長尺アーム４１の右端には長尺アームの一端を折り曲げて製作した係止部４２が設けられており、パチスロ台３の下部を押圧部４３と合わせて、パチスロ台３の下部を左右方向に挟み込む。下部固定金具４０のカムを駆動する第２駆動軸５１が、押圧部４３から上方に突き出ている。
【００２９】
図１０は、図５に示す上部固定金具２０のＡ−Ａ断面図である。押圧部２３は、長尺アーム２１の下側に取り付けた枠体と、この枠体の内部に装着される押え駒２４からなる。押え駒２４は、第１駆動軸３１によりカム２８が回動されると、外側に突き出る。なお、コイルバネからなるクッション手段２７、２７が芯材３０、３０に巻き付けられ、外側に突き出た押え駒２４に弾性を与えるよう付勢している。第２駆動軸５１は、第１駆動軸３１の内部を貫通し上方に突き出ている。第２駆動軸５１の上端は、第２工具（例えばオスのレンチ）と係合するヘッドとなっており、第２工具で第２駆動軸５１を回動できる。同様に、第１駆動軸３１の上端が、第１工具（例えばメスのレンチ）と係合するヘッドで、第１工具で第１駆動軸３１を回動できる。
【００３０】
図１１は、図８に示す下部固定金具４０のＢ−Ｂ断面図である。押圧部４３は、長尺アーム４１の上側に取り付けられる枠体と、この枠体の内部に設けられた押え駒２４からなる。押え駒４４は、第２駆動軸５１によりカム４８が回動されると、外側に突き出る。なお、コイルバネからなるクッション手段４７、４７が芯材５０、５０に巻き付けられ、外側に突き出た押え駒４４に弾性を与えている。
【００３１】
図１２は、押え駒２４（４４）の斜視図である。押え駒２４（４４）は、箱体の形状をしており、上部固定金具２０の押圧部２３と、下部固定金具４０の押圧部４３に装着される。押え駒２４（４４）はパチスロ台３の側面を押圧する。押圧面にはゴム板２９（４９）が設けられる。２本の芯材３０（５０）が、内部でコイルバネからなるクッション手段２７（４７）を支持している。コイルバネが芯材３０（５０）に巻き付けられている。
【００３２】
図１３は、押え駒２４（４４）の動作説明図である。図１３（Ａ）はカム２８（４８）のａ部が右を向いた位置にあって、押え駒２４（４４）が突き出ていない状態、図１３（Ｂ）はカム２８（４８）のｂ部が右を向いた位置にあって、右方向に押え駒２４（４４）が突き出た状態を示す。図１３（Ａ）では、カム２８（４８）のａ部の幅（中心からの長さ）が短いので、押え駒２４（４４）は突き出ない。図１３（Ｂ）では、カム２８（４８）が回動され、カム２８（４８）のｂ部が右を向いた位置にあって、ｂ部の幅はａ部の幅より長いので、押え駒２４（４４）が右方向に突き出る。すなわち、押え駒２４（４４）の箱体が、左方向からクッション手段２７（４７）を押し縮めるので、芯材３０（５０）とゴム板２９（４９）が、右方向に突き出される。カム２８（４８）のｃ部が右に向いた位置にすれば、押え駒２４（４４）をさらに突き出せる。なお、クッション手段２７（４７）がパチスロ台３の反力で左方向に押し返される場合は、さらに縮んで、芯材３０（５０）とゴム板２９（４９）を左方向に移動させる。第１駆動軸３１もしくは第２駆動軸５１は動かないからである。
【００３３】
図１３の右上側に示すように、ねじり捩じりバネ（図１３の符号３２（５２）で示すバネ）からなる付勢手段３２（５２）を、カム２８（４８）の上側の位置で、第１駆動軸３１と第２駆動軸５１に巻き付けるように装着した。これによれば、カム２８（４８）をａ部からｂ部、さらにｃ部へと回動すると、押え駒２４（４４）の枠体が右方向に動くので、図１３の右下側に示すように、ねじり捩じりバネ（図１３の符号３２（５２）で示すバネ）の脚が広げられる。次に、カム２８（４８）がｃ部からａ部に回動されると、ねじり捩じりバネ（図１３の符号３２（５２）で示すバネ）の広がった脚が縮むので、突き出た押え駒２４（４４）が左方向に縮退される。つまり図１３の右上側に示すように、押え駒２４（４４）が自動的に元の位置に戻る。
【００３４】
図１４は、カムを回動させる工具の構成図である。下部固定金具４０の第２駆動軸５１と上部固定金具２０の第１駆動軸３１は垂直な同軸上に配置されるものとした。そのため、上部固定金具２０の上側の箇所では、図１４に示すように、第２駆動軸５１が第１駆動軸３１を貫通する。例として上部固定金具２０と下部固定金具４０が、前後方向にずれて配置されるとしても、上部固定金具２０の上側の箇所では、第２駆動軸５１と第１駆動軸３１が同軸上にあることが望ましい。第２駆動軸５１を第１駆動軸３１から、歯車等で駆動できるからである。上部固定金具２０の上側の箇所で、第２駆動軸５１が第１駆動軸３１を貫通する構造とすれば、島枠の上蓋７の改造が少なくて済む。
【００３５】
工具（例えばレンチ）は、第１駆動軸３１または第２駆動軸５１を回動させるもので、第１工具６１と第２工具６２からなる。第２工具６２は、第１工具６１の内部を貫通させた状態で使用する。工具は島枠の上蓋７の開口孔から挿入する。第１工具６１には、サイズの大きな第１ハンドル６３が設けられ、第２工具６２には、サイズのやや小さい第２ハンドル６４が設けられ、回動を容易としている。第１工具６１の先端には６角形の凹部があり、第１駆動軸３１のヘッドの外側の凸部に係合する。第２工具６２の先端には六角形の凸部があり、第２駆動軸５１のヘッドの凹部に係合する。最初に、下部固定金具４０の押圧部２３を操作し、次に上部固定金具２０の押圧部４３を操作するなら、パチスロ台３を良好に固定できる。パチスロ台３の上部を固定するとき、パチスロ台３の下部が固定されて動かないからである。
【００３６】
図１５は、長尺アーム２１の他の実施例を示す平面図である。図１５に示すように、上部固定金具２０の長尺アーム２１を左方長尺アーム２１’と右方長尺アーム２１’’の２つに分割した。図示しないが、下部固定金具４０の長尺アーム４１を左方長尺アーム４１’と右方長尺アーム４１’’の２つに分割できる。長尺アーム２１（４１）を２つに分割した場合、パチスロ台３の横幅に合わせて、複数の長尺アームを用意しなくてはならないところ、取り付け位置を変更するだけで、対応することが可能になる。
【産業上の利用可能性】
【００３７】
本発明によるパチスロ台取付装置は、パチスロ台を島枠に簡単かつ確実に装着でき、また新台の入替え作業が軽減できる装置として好適である。
【符号の説明】
【００３８】
１    上板
２    下板
３    パチスロ台
４    サンド
５    上板延長部材
６    メダル落とし穴
７    島枠の上蓋
８    ビス
９    枠体
１０    回転リール
２０    上部固定金具
２１    長尺アーム
２１’    左方長尺アーム
２１’’    右方長尺アーム
２２    係止部
２３    押圧部
２４    押え駒
２５    アーム
２６    アーム取付孔
２７    クッション手段
２８    カム
２９    ゴム板
３０    芯材
３１    第１駆動軸
３２    付勢手段
４０    下部固定金具
４１    長尺アーム
４１’    左方長尺アーム
４１’’    右方長尺アーム
４２    係止部
４３    押圧部
４４    押え駒
４５    アーム
４６    アーム取付孔
４７    クッション手段
４８    カム
４９    ゴム板
５０    芯材
５１    第２駆動軸
５２    付勢手段
６０    工具
６１    第１工具
６２    第２工具
６３    第１ハンドル
６４    第２ハンドル
１００    パチスロ台取付装置
【要約】
【課題】パチスロ台が島枠に簡単かつ確実に固定できるパチスロ台取付装置を提供する。
【解決手段】島枠の上板に取り付けられる長尺アーム（２１）と、長尺アーム（２１）の一端に設けられ、パチスロ台の一側面に当接する係止部（２２）と、長尺アーム（２１）の他端に設けられ、パチスロ台の他側面を係止部（２２）の方向に押圧する押圧部（２３）と、からなり、パチスロ台の上部を左右方向に挟み込む上部固定金具と、島枠の下板に取り付けられる長尺アーム（４１）と、長尺アーム（４１）の一端に設けられ、パチスロ台の一側面に当接する係止部（４２）と、長尺アーム（４１）の他端に設けられ、パチスロ台の他側面を係止部（４２）の方向に押圧する押圧部（４３）と、からなり、パチスロ台の下部を左右方向に挟み込む下部固定金具と、が備えられ、前記押圧部（２３）と前記押圧部（４３）が、島枠の上部外側から操作される。
【選択図】図２【図１】
0005785344.tif 000002
【図２】
0005785344.tif 000003
【図３】
0005785344.tif 000004
【図４】
0005785344.tif 000005
【図５】
0005785344.tif 000006
【図６】
0005785344.tif 000007
【図７】
0005785344.tif 000008
【図８】
0005785344.tif 000009
【図９】
0005785344.tif 000010
【図１０】
0005785344.tif 000011
【図１１】
0005785344.tif 000012
【図１２】
0005785344.tif 000013
【図１３】
0005785344.tif 000014
【図１４】
0005785344.tif 000015
【図１５】
0005785344.tif 000016
【図１６】
0005785344.tif 000017